(57)【要約】【課題】  マイナスイオン及び電磁波（微弱エネルギー）と、超音波振動との相乗効果で、効果的な顔肌のケアができるようにした超音波美顔器の提供。【解決手段】  把手部１の先端部分に接触子２が設けられ、この接触子の内部に超音波振動子３が取り付けられている超音波美顔器Ａにおいて、接触子に、多元素鉱物のパウダーが練り込み又はコーティングによって含有されている。【選択図】  図１
0003102852.tif 000002
【実用新案登録請求の範囲】
【請求項１】
把手部の先端部分に接触子が設けられ、この接触子の内部に超音波振動子が取り付けられている超音波美顔器において、
前記接触子に、多元素鉱物のパウダーが練り込み又はコーティングによって含有されていることを特徴とする超音波美顔器。
【請求項２】
請求項１記載の超音波美顔器において、多元素鉱物のパウダーに、遠赤外線放射材料のパウダーが混合されている超音波美顔器。
【考案の詳細な説明】
【技術分野】
【０００１】
本考案は、肌ケア装置としての超音波美顔器に関し、特に、多元素鉱物から放射されるマイナスイオン及び電磁波（微弱エネルギー）と、超音波振動との相乗効果によって効果的な顔肌のケアができるようにした超音波美顔器に関する。
【背景技術】
【０００２】
従来、超音波美顔器として、把手部の先端部分に接触子が設けられ、この接触子の内部に超音波振動子が取り付けられると共に、マイナスイオン発生装置で発生させたマイナスイオンを接触子に設けたイオン放出口から放出させるようにしたものが知られている（特許文献１参照）。
この超音波美顔器は、把手部を手で持ち、接触子を顔肌に接触させて使用するもので、このとき接触子の超音波振動によって肌に刺激を与えると共に、マイナスイオン発生装置で発生させたマイナスイオンによって保湿性を向上させるなどの顔肌の手入れを行なうようになっている。
【０００３】
前記従来の超音波美顔器は、超音波振動とマイナスイオンとを併用して肌の手入れを行なうようにしているが、マイナスイオンを発生させる手段としてマイナスイオン発生装置を用いている。
このように、マイナスイオン発生装置を用いると、その分だけ構造が複雑になるし、部品点数も増加し、コスト的に不利になるし、故障の原因にもなるという問題があった。
【特許文献１】特開２００３−１５９３０５号公報
【考案の開示】
【考案が解決しようとする課題】
【０００４】
解決しようとする課題は、マイナスイオン発生装置を用いることなく、多元素鉱物から放射されるマイナスイオン及び電磁波と、超音波振動との相乗効果によって効果的な顔肌のケアができるようにした超音波美顔器を提供する。
【課題を解決するための手段】
【０００５】
上記の課題を解決するために、本考案の超音波美顔器（請求項１）は、
把手部の先端部分に接触子が設けられ、この接触子の内部に超音波振動子が取り付けられている超音波美顔器において、
前記接触子に、多元素鉱物のパウダーが練り込み又はコーティング（メッキを含む）によって含有されている構成とした。
【０００６】
この場合、前記請求項１記載の超音波美顔器において、多元素鉱物のパウダーに、遠赤外線放射材料のパウダーが混合されている態様がある（請求項２）。
【考案の効果】
【０００７】
本考案（請求項１）では、超音波振動子による接触子の超音波振動によって肌に刺激を与えることによる顔肌のケアと、多元素鉱物のパウダーから放射されるマイナスイオン及び電磁波との相乗効果によって、効果的な顔肌のケアができる。
特に、超音波振動とマイナスイオンとの相乗作用によって、顔の皮膚老廃物を取り除き、角質除去とトラブルのある皮膚を改善し、また、皮膚の新陳代謝を円滑にして、いつも清潔できれいな皮膚の維持に役立つ効果的な顔肌のケアができる。
又、マイナスイオンを発生させる手段としてマイナスイオン発生装置を用いた従来技術と異なり、多元素鉱物のパウダーから放射するマイナスイオンを利用するため、構造が複雑になることがないし、部品点数が増加することもなく、コスト的に有利になるし、故障等のトラブルも無くすことができる。
【０００８】
また、本考案（請求項２）では、多元素鉱物のパウダーに加えて遠赤外線放射材料のパウダーを混合させたので、この遠赤外線放射粉状体から放射される遠赤外線の作用を顔肌に与えることができる。
【考案を実施するための最良の形態】
【０００９】
以下、本考案の実施例を図面に基づいて詳細に説明する。
図１は本考案の実施例にかかる超音波美顔器の概略断面図である。
【００１０】
本実施例の超音波美顔器Ａは、把手部１の先端部分に接触子２が設けられ、この接触子２の内面に超音波振動子３が取り付けられている
なお、前記超音波振動子３、オン／オフ切替スイッチ（図示省略）は、制御回路（図示省略）によって、その作動が制御されるようになっている。
【００１１】
そして、前記接触子２には、多元素鉱物のパウダーと遠赤外線放射材料のパウダーを混合した混合パウダーがコーティングによって含有されている。
このコーティングは、コーティング剤である耐熱性ホーマイカに、多元素鉱物のパウダーと遠赤外線のパウダーを混合した混合パウダーを加えたものを接触子２の表面に塗布し、これを加熱炉に通してコーティング剤を飛ばして焼き付けたものである。
【００１２】
前記接触子２の表面には、通常、金メッキが施されており、そのメッキ層に多元素鉱物のパウダー又は混合パウダーを混合させるようにしてもよい。
この場合、多元素鉱物のパウダー又は混合パウダーを粉状体のままメッキ液に混合してもよいし、これを水と混合し加熱又は加圧した後、上澄み液をそのまま又は真空凍結乾燥や噴霧乾燥により粉末にしたものをメッキ液に混合してもよい。
メッキ液に多元素鉱物のパウダーを混合するときは、１リットルのメッキ液を７０度まで加熱し、これに１００ｇの多元素鉱物のパウダーを投入し、良く攪拌し混ぜ合わせたのち、これをタンクに戻す。タンクでは、濾過器やポンプ、エアー等を使用して多元素鉱物のパウダーが底に沈殿しないようにして使用する。
【００１３】
多元素鉱物とは、例えば真珠岩、松脂岩のように珪素を主成分とし、多数の元素がバランスよく含まれている鉱物をいい、この鉱物は電磁波（微弱エネルギー）を出し、これを顔肌に当てると、顔肌中の水分がミネラル化して顔肌中の蛋白質を活性化する。
この多元素鉱物は、例えば、真珠岩をボールミル等で約１〜３ミクロンに粉砕して多元素鉱物のパウダーに形成する。多元素鉱物のパウダーは２種類以上を適宜配合して使用することが好ましい。尚、多元素鉱物の例である真珠岩の成分を表１に示す。
【表１】
0003102852.tif 000003
【００１４】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これらのパウダーは顔肌に適した波長の遠赤外線を放射するようにブレンドして使用する。
【００１５】
従って、この超音波美顔器Ａは、把手部１を手で持ち、接触子２を顔肌に接触させて使用するもので、このとき超音波振動子３による接触子２の超音波振動によって肌に刺激を与えて肌細胞を活性化させ、顔肌のケアを行なうことができる。
【００１６】
そして、接触子２に含有させた多元素鉱物によってマイナスイオンを発生させることができる。
従って、このマイナスイオンによって顔肌の水分にクラスター現象（水の分子集団を小さくする力）が生じて、顔肌に対する保湿性が向上し、顔肌に潤いを持たせることができるし、マイナスイオンによって顔肌の血行を良好にさせて、顔肌に張りを持たせることができる。
【００１７】
また、多元素鉱物から放射される４〜１４μｍの波長の電磁波（微弱エネルギー）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
従って、顔肌中の水分をミネラル化して皮膚の蛋白質を活性化し、常に健康でツヤ、潤いのある顔肌のケア、血行の促進が得られる。
【００１８】
また、遠赤外線放射材料から遠赤外線が放射され、顔肌を内部から温めることができ、これにより、顔肌の血行を促進させることができる。
【００１９】
そして、前記した多元素鉱物から放射されるマイナスイオン及び電磁波、遠赤外線放射材料から放射される遠赤外線、それに超音波振動による肌への刺激との相乗効果によって効果的な顔肌のケアができる。
特に、超音波振動と、マイナスイオン及び電磁波（微弱エネルギー）との相乗作用によって、顔の皮膚老廃物を取り除き、角質除去とトラブルのある皮膚を改善し、また、皮膚の新陳代謝を円滑にして、いつも清潔できれいな皮膚の維持に役立つ効果的な顔肌のケアができる。
【００２０】
なお、本考案において、実施例では、接触子に、多元素鉱物のパウダーと遠赤外線放射材料のパウダーを混合した混合パウダーをコーティングによって含有させた例を示したが、この場合の含有手段としては、実施例のように、コーテイングでもよいし、メッキ層に混合させてもよいし、材料に練り込んでもよい。
【００２１】
又、超音波美顔器の本体構造についても、実施例に限定されるものではなく、把手部の先端部分に接触子が設けられ、この接触子の内部に超音波振動子が取り付けられ、この接触子の超音波振動によって肌に刺激を与える構造については、本考案の構成を適用できる。
例えば、超音波式美顔器の使用中に肌をプラス電位側に保持させる荷電回路を設置して、人体をプラスに帯電することで肌のマイナスイオン帯電飽和をなくし、常に多量のマイナスイオンがプラスに帯電した肌に引き寄せられるように構成した超音波美顔器に適用することができる。
【図面の簡単な説明】
【００２２】
【図１】本考案の実施例にかかる超音波美顔器の概略断面図である。
【符号の説明】
【００２３】
Ａ  超音波美顔器
１  把手部
２  接触子
３  超音波振動子
【図１】
0003102852.tif 000004